(57)【要約】【課題】  大電流に適用可能で且つ巻線に便利なろ波器の提供。【解決手段】  口字型を呈する外周部（２００）を具え、該外周部（２００）の内側に中軸部（２０４）が設けられた鉄心（２０）と、二つの同型の溝架（２１０）で構成されて鉄心（２０）の中軸部（２０４）に設置されると共に、第１巻線エリア（２１６）と第２巻線エリア（２１７）が設けられた主溝座（２１ａ）と、該第１巻線エリア（２１６）及び第２巻線エリア（２１７）に巻かれた巻線体（２３）と、収容溝（２４０）を具えて該鉄心（２０）を収容する底座（２４）と、を包含する。【選択図】        図３
0003112800.tif 000002
【実用新案登録請求の範囲】
【請求項１】
ろ波器において、
口字型を呈する外周部（２００）を具え、該外周部（２００）の内側に中軸部（２０４）が設けられた鉄心（２０）と、
二つの同型の溝架（２１０）で構成されて鉄心（２０）の中軸部（２０４）に設置されると共に、第１巻線エリア（２１６）と第２巻線エリア（２１７）が設けられた主溝座（２１ａ）と、
該第１巻線エリア（２１６）及び第２巻線エリア（２１７）に巻かれた巻線体（２３）と、
収容溝（２４０）を具えて該鉄心（２０）を収容する底座（２４）と、
を包含することを特徴とする、ろ波器。
【請求項２】
請求項１記載のろ波器において、主溝座（２１ａ）に区画片（２１８）が設けられ、該主溝座（２１ａ）の二端に進線溝（２１４）を具えた第１円板（２１２）と歯状部（２１５）を具えた第２円板（２１３）が設けられ、該底座（２４）が複数の接続柱（２４１）と線溝（２４２）を具え、該巻線体（２３）の接続を提供することを特徴とする、ろ波器。
【請求項３】
ろ波器において、
口字型を呈する外周部（２００）を具え、該外周部（２００）の内側に第１軸部（２０１）と第２軸部（２０２）が設けられた鉄心（２０）と、
それぞれが二つの同型の溝架（２１０）で構成されて鉄心（２０）の第１軸部（２０１）及び第２軸部（２０２）に設置される第１溝座（２１ｂ）及び第２溝座（２１ｃ）と、  該第１溝座（２１ｂ）及び第２溝座（２１ｃ）に巻き付けられる巻線体（２３）と、
容溝（２４０）を具えて該鉄心（２０）を収容する底座（２４）と、
を包含することを特徴とする、ろ波器。
【請求項４】
請求項３記載のろ波器において、第１軸部（２０１）と第２軸部（２０２）の間にスペ−サ部（２０３）が設けられ、第１溝座（２１ｂ）と第２溝座（２１ｃ）の両端に進線溝（２１４）を具えた第１円板（２１２）と歯状部（２１５）を具えた第２円板（２１３）が設けられ、該底座（２４）が複数の接続柱（２４１）と線溝（２４２）を具えて巻線体（２３）の接続を提供することを特徴とする、ろ波器。
【請求項５】
ろ波器において、
口字型を呈する鉄心（２０）であって、相互に平行な第１軸部（２０１）と第２軸部（２０２）を具えた上記鉄心（２０）と、
それぞれが二つの同型の溝架（２１０）で構成されて鉄心（２０）の第１軸部（２０１）及び第２軸部（２０２）に設置される第１溝座（２１ｂ）及び第２溝座（２１ｃ）と、  該第１溝座（２１ｂ）及び第２溝座（２１ｃ）に巻き付けられる巻線体（２３）と、
該鉄心（２０）を収容する底座（２４）と、
を包含することを特徴とする、ろ波器。
【請求項６】
請求項５記載のろ波器において、第１軸部（２０１）と第２軸部（２０２）の間にスペ−サ部（２０３）が設けられ、底座（２４）に鉄心（２０）を収容する収容溝（２４０）が設けられ、且つ底座（２４）が複数の接続柱（２４１）と線溝（２４２）を具えて巻線体（２３）の接続を提供することを特徴とする、ろ波器。
【請求項７】
請求項５記載のろ波器において、底座（２４）の二側にそれぞれ収容溝（２４０）が設けられて第１溝座（２１ｂ）と第２溝座（２１ｃ）を収容し、ならびに収容溝（２４０）の間に第１溝座（２１ｂ）と第２溝座（２１ｃ）の間を貫通するスペ−サ片（２４４）が設けられ、底座（２４）の別の二側に鉄心（２０）を係止する位置決め凹溝（２４５）が設けられたことを特徴とする、ろ波器。
【請求項８】
請求項１記載のろ波器において、ろ波器（２）は組立後に防塵部品（２５）で遮蔽されて異物の進入が防止され、該防塵部品（２５）に通風用の複数の孔（２５０）が設けられたことを特徴とする、ろ波器。
【考案の詳細な説明】
【技術分野】
【０００１】
本考案は一種のろ波器の構造に係り、特に大電流に適用可能なろ波器の構造に関する。
【背景技術】
【０００２】
一般にろ波器は広く応用され、随所に見られ、コンピュータ、テレビジョン、音響装置等にはほぼ全てにろ波器が使用され、ろ波器の利用により電磁波干渉（ＥＭＩ）を防止し雑音を除去し、ろ波器は現在の産業の応用にあって、実に重要であり、以下に現在産業に応用されているろ波器の構造について説明を行なう。
【０００３】
周知の電磁波干渉防止用のろ波器は、図１、２に示されるように、鉄心１０、二つの半線架１１、底座１２及び線体１３で構成され、そのうち、鉄心１０は逆Ｕ形を呈し、並びにその開口部分に中軸部１００が横設され、且つ二つの半線架１１に二つの線溝１１０が設けられて、並びに二つの線溝１１０の間にスペーサ溝１１１が設けられ、且つ半線架１１の一側の外側に巻線歯１１２が設けられ、その中央に半円溝１１３が設けられ、並びに底座１２の中央に凹部１２０が設けられ、該凹部１２０は上述の線架を収容し、該凹部１２０の二側に位置決め凹溝１２１が設けられて、鉄心１０の二側底部が挿嵌され、該底座１２の底部に下向きに延伸された複数の短柱１２２が設けられ、且つ該底座１２の周縁に複数の線溝１２３が設けられて該線溝１１０内の線体１３を引き出して該短柱１２２に接続するのに供される。このような周知の電磁波干渉防止用のろ波器１は、ろ波器１が巻線に必要とする二つの線溝１１０が共に一つの線架に設けられ、巻線時に比較的困難であり且つ手間と時間がかかり、更に線溝１１０に巻き付けられた線体１３（例えばエナメル線）が、巻線過程で破損を発生しやすく、短絡現象を形成し、且つ二つの線溝１１０の設計により、線体１３の収容空間が小さく、ゆえに巻線体の体積が制限され、このためいずれもただ小電流のろ波器１に適用されるだけであり、ゆえにそのパワーは小さく、現在の多元化産業にあって、生産者の効率アップが求められるほか、消費者の製品機能に対する要求が高まるなか、上述の周知の構造は産業上の利用性を具備せず、且つ鉄心１０の構造設計は皆同様の厚さに製造され、このため巻線の面積が制限され、通過電流が小さくパワー損耗が大きい問題を有し、ゆえに解決が待たれている。
【考案の開示】
【考案が解決しようとする課題】
【０００４】
本考案の主要な目的は、上述の問題を解決し、問題の存在を回避することにあり、本考案は大電流に適用可能な一種のろ波器を提供し、それは、上述の鉄心と溝座の構造設計を利用し、巻線可能な空間を増し、ゆえに大電流に適用可能で且つ巻線に便利としている。
【課題を解決するための手段】
【０００５】
請求項１の考案は、ろ波器において、
口字型を呈する外周部（２００）を具え、該外周部（２００）の内側に中軸部（２０４）が設けられた鉄心（２０）と、
二つの同型の溝架（２１０）で構成されて鉄心（２０）の中軸部（２０４）に設置されると共に、第１巻線エリア（２１６）と第２巻線エリア（２１７）が設けられた主溝座（２１ａ）と、
該第１巻線エリア（２１６）及び第２巻線エリア（２１７）に巻かれた巻線体（２３）と、
収容溝（２４０）を具えて該鉄心（２０）を収容する底座（２４）と、
を包含することを特徴とする、ろ波器としている。
請求項２の考案は、請求項１記載のろ波器において、主溝座（２１ａ）に区画片（２１８）が設けられ、該主溝座（２１ａ）の二端に進線溝（２１４）を具えた第１円板（２１２）と歯状部（２１５）を具えた第２円板（２１３）が設けられ、該底座（２４）が複数の接続柱（２４１）と線溝（２４２）を具え、該巻線体（２３）の接続を提供することを特徴とする、ろ波器としている。
請求項３の考案は、ろ波器において、
口字型を呈する外周部（２００）を具え、該外周部（２００）の内側に第１軸部（２０１）と第２軸部（２０２）が設けられた鉄心（２０）と、
それぞれが二つの同型の溝架（２１０）で構成されて鉄心（２０）の第１軸部（２０１）及び第２軸部（２０２）に設置される第１溝座（２１ｂ）及び第２溝座（２１ｃ）と、  該第１溝座（２１ｂ）及び第２溝座（２１ｃ）に巻き付けられる巻線体（２３）と、
容溝（２４０）を具えて該鉄心（２０）を収容する底座（２４）と、
を包含することを特徴とする、ろ波器としている。
請求項４の考案は、請求項３記載のろ波器において、第１軸部（２０１）と第２軸部（２０２）の間にスペ−サ部（２０３）が設けられ、第１溝座（２１ｂ）と第２溝座（２１ｃ）の両端に進線溝（２１４）を具えた第１円板（２１２）と歯状部（２１５）を具えた第２円板（２１３）が設けられ、該底座（２４）が複数の接続柱（２４１）と線溝（２４２）を具えて巻線体（２３）の接続を提供することを特徴とする、ろ波器としている。
請求項５の考案は、ろ波器において、
口字型を呈する鉄心（２０）であって、相互に平行な第１軸部（２０１）と第２軸部（２０２）を具えた上記鉄心（２０）と、
それぞれが二つの同型の溝架（２１０）で構成されて鉄心（２０）の第１軸部（２０１）及び第２軸部（２０２）に設置される第１溝座（２１ｂ）及び第２溝座（２１ｃ）と、  該第１溝座（２１ｂ）及び第２溝座（２１ｃ）に巻き付けられる巻線体（２３）と、
該鉄心（２０）を収容する底座（２４）と、
を包含することを特徴とする、ろ波器としている。
請求項６の考案は、請求項５記載のろ波器において、第１軸部（２０１）と第２軸部（２０２）の間にスペ−サ部（２０３）が設けられ、底座（２４）に鉄心（２０）を収容する収容溝（２４０）が設けられ、且つ底座（２４）が複数の接続柱（２４１）と線溝（２４２）を具えて巻線体（２３）の接続を提供することを特徴とする、ろ波器としている。
請求項７の考案は、請求項５記載のろ波器において、底座（２４）の二側にそれぞれ収容溝（２４０）が設けられて第１溝座（２１ｂ）と第２溝座（２１ｃ）を収容し、ならびに収容溝（２４０）の間に第１溝座（２１ｂ）と第２溝座（２１ｃ）の間を貫通するスペ−サ片（２４４）が設けられ、底座（２４）の別の二側に鉄心（２０）を係止する位置決め凹溝（２４５）が設けられたことを特徴とする、ろ波器としている。
請求項８の考案は、請求項１記載のろ波器において、ろ波器（２）は組立後に防塵部品（２５）で遮蔽されて異物の進入が防止され、該防塵部品（２５）に通風用の複数の孔（２５０）が設けられたことを特徴とする、ろ波器としている。
【考案の効果】
【０００６】
本考案は、周知の技術の問題を解決し、問題の存在を回避しており、即ち、本考案は大電流に適用可能な一種のろ波器を提供し、それは、上述の鉄心と溝座の構造設計を利用し、巻線可能な空間を増し、ゆえに大電流に適用可能で且つ巻線に便利としている。
【考案を実施するための最良の形態】
【０００７】
図３、４に示されるように、本考案のろ波器２は、鉄心２０、主溝座２１ａ、巻線体２３、底座２４で構成され、本実施例の鉄心２０（磁性体とされる）は口字型の外周部２００を具え、該外周部２００に単一の中軸部２０４が横設され、主溝座２１ａは二つの溝架２１０で構成され並びに接合溝２１１で中軸部２０４に接合され、且つ該主溝座２１ａに単一の区画片２１８が設けられて第１巻線エリア２１６と第２巻線エリア２１７に区画し、並びに主溝座２１ａの二端に進線溝２１４を具えた第１円板２１２及び第２円板２１３が設けられ、この進線溝２１４は巻線体２３を巻き付ける時、巻線体２３が該進線溝２１４に掛けられた後に巻線されることで巻線に便利となり、工程時間を減らす。且つ第２円板２１３周縁に歯状部２１５が設けられて巻線機に係止されて巻線が実行され、該巻線体２３（銅箔扁平線或いはエナメル線として実施可能）が第１巻線エリア２１６及び第２巻線エリア２１７に巻き付けられる。底座２４は鉄心２０を収容する収容溝２４０を具え、且つ底座２４の底側に下向きに延伸された４本の接続柱２４１が設けられ、並びに周囲に４個の線溝２４２が設けられて巻線体２３の引き出しと接続柱２４１への接続（例えばソルダー方式による）に供される。第１実施例は巻線に用いられる歯状部２１５が第２円板２１３の周縁に設けられることで、第２円板２１３の占用する空間が減らされて巻線体２３の巻き付け可能な空間が増し、並びに線径が比較的大きな巻線体２３を選択して巻き付けてろ波器を形成でき、且つ巻線体２３を通過する電流はその通過する巻線体２３の断面積に正比例するため、大電流に適用可能で、且つ主溝座２１ａの進線溝２１４の設計により、巻線時に、過程が比較的簡単で、加工時間と加工プロセスを減らせ、特に銅箔扁平線を巻線体２３とする時、その扁平な構造により、外観がよく、且つ断面積が増し、また大電流及び大パワーに適用可能とされ、且つ巻線周数が縮減可能とされ、巻線が簡易で、小パワー損耗の長所を具え、これにより極めて産業上の利用性を有する。
【０００８】
図５、６を参照されたい。この本考案の第２実施例の先の実施例と異なるところは、主溝座２１ａが第１溝座２１ｂ及び第２溝座２１ｃに改められ、これに対応して鉄心２０は第１溝座２１ｂ及び第２溝座２１ｃに取り付けられる第１軸部２０１及び第２軸部２０２を具えたものとされたところである（第２実施例の第１溝座２１ｂ及び第２溝座２１ｃは垂直方向に配列され、図７、８に示される本考案の第３実施例では第１溝座２１ｂ及び第２溝座２１ｃは垂直方向に配列され並びにその間にスペ−サ部２０３設けられ、第２、第３実施例の達成する機能は同じであるため、以下に併せて説明する）。第１溝座２１ｂ及び第２溝座２１ｃに分けられた巻線方式は第１実施例の第１巻線エリア２１６と第２巻線エリア２１７と同様に、巻線空間を増し、大電流に適用可能で、巻線に便利で、過程が簡易で混乱しにくく、加工時間とプロセスを減らすことができる。
【０００９】
図９、１０に示される実施例では、主溝座２１ａが第１溝座２１ｂ及び第２溝座２１ｃに改められ、鉄心２０は口字型を呈するものの、二側に平行に第１溝座２１ｂ及び第２溝座２１ｃを取り付けるための第１軸部２０１及び第２軸部２０２を具えている（図１２、１３の実施例は更に第１軸部２０１及び第２軸部２０２の間にスペ−サ部２０３が設置されて相互干渉を防止し、図１４、１５の実施例では横式ろ波器２の設計とされて、相互干渉防止設計は底座２４の二側にそれぞれ収容溝２４３が設けられ、該第１溝座２１ｂ及び第２溝座２１ｃを収容し、並びに該収容溝２４３の間に第１溝座２１ｂ及び第２溝座２１ｃの間を貫通するスペ−サ片２４４が設けられ、並びに底座２４の別の二側に鉄心２０を係止する位置決め凹溝２４５が設けられ、第４、５、６の実施例の達成する機能は同じであるため、以下に併せて説明する）。本考案はこれにより鉄心２０の外周部２００の制限を取り消して更に大きな巻線空間を有するものとされ、鉄心２０の高さと幅を増すことができ、且つ厚さの設計はそれぞれ異なり、これにより巻線面積を増して、大電流に適用可能で、巻線に便利で、過程が簡易で混乱しにくく、加工時間とプロセスを減らすことができる。実施時は更に図１１に示されるように、防塵部品２５を配置して遮蔽することで異物（例えば灰塵或いは液体）の進入を防止してろ波器の使用寿命を延長することができ、且つ温室効果防止のため、防塵部品２５に通風用の複数の孔２５０が設けられる。ゆえに本実施例は大電流に適用可能で巻線に便利な機能を有するだけでなく、防塵の機能も有し、産業上の利用性を有している。
【図面の簡単な説明】
【００１０】
【図１】周知のろ波器の構造表示図である。
【図２】周知のろ波器の構造表示図である。
【図３】本考案の第１実施例表示図である。
【図４】本考案の第１実施例表示図である。
【図５】本考案の第２実施例表示図である。
【図６】本考案の第２実施例表示図である。
【図７】本考案の第３実施例表示図である。
【図８】本考案の第３実施例表示図である。
【図９】本考案の第４実施例表示図である。
【図１０】本考案の第４実施例表示図である。
【図１１】本考案の第４実施例表示図である。
【図１２】本考案の第５実施例表示図である。
【図１３】本考案の第５実施例表示図である。
【図１４】本考案の第６実施例表示図である。
【図１５】本考案の第６実施例表示図である。
【符号の説明】
【００１１】
１  ろ波器
１０  鉄心
１１  半線架
１２  底座
１３  線体
１００  中軸部
１１０  線溝
１１１  スペーサ溝
１１２  巻線歯
１１３  半円溝
１２０  凹部
１２１  位置決め凹溝
１２２  短柱
１２３  線溝
２  ろ波器
２０  鉄心
２１ａ  主溝座
２３  巻線体
２４  底座
２００  外周部
２０４  中軸部
２１０  溝架
２１１  接合溝
２１８  区画片
２１６  第１巻線エリア
２１７  第２巻線エリア
２１４  進線溝
２１２  第１円板
２１３  第２円板
２３  巻線体
２１５  歯状部
２４０  収容溝
２４１  接続柱
２４２  線溝
２１ｂ  第１溝座
２１ｃ  第２溝座
２０１  第１軸部
２０２  第２軸部
２０３  スペ−サ部
２４３  収容溝
２４４  スペ−サ片
２４５  位置決め凹溝
２５  防塵部品
２５０  孔
【図１】
0003112800.tif 000003
【図２】
0003112800.tif 000004
【図３】
0003112800.tif 000005
【図４】
0003112800.tif 000006
【図５】
0003112800.tif 000007
【図６】
0003112800.tif 000008
【図７】
0003112800.tif 000009
【図８】
0003112800.tif 000010
【図９】
0003112800.tif 000011
【図１０】
0003112800.tif 000012
【図１１】
0003112800.tif 000013
【図１２】
0003112800.tif 000014
【図１３】
0003112800.tif 000015
【図１４】
0003112800.tif 000016
【図１５】
0003112800.tif 000017